(57)【要約】【課題】回動体が所定の回動位置を越えるまで往動回動されたときはこれを往動終了位置まで強制的に回動させ、かつ、この回動体が所定の回動位置を越えるまで復動回動されたときはこれを往動前位置まで強制的に回動させるようにする。【解決手段】回動軸８を挟んだ一方側に位置される第一部分１０と他方側に位置される第二部分１１とを備えた可動パーツ１と、可動パーツ１の第一部分１０に回動軸８の設けられた位置を略中心とした正転方向に回動させる付勢力を作用させる第一付勢手段２と、可動パーツ１の第二部分１１に回動軸８の設けられた位置を略中心とした逆転方向に回動させる付勢力を作用させる第二付勢手段３と、可動パーツ１に対し所定の回動位置を越えるまでは第一付勢手段２の付勢力のみを作用させその後は第二付勢手段３の付勢力のみを作用させる切り替え手段４とを備えている。【選択図】図４
2008207601.tif 000002
【特許請求の範囲】
【請求項１】
固定体に回動軸をもって回動可能に組み合わされた回動体側に取り付けられると共に、この回動軸を挟んだ一方側に位置される第一部分と、この回動軸を挟んだ他方側に位置される第二部分とを備えた可動パーツと、
可動パーツの第一部分に、この可動パーツを前記回動軸の設けられた位置を略中心とした正転方向に回動させる付勢力を作用させる第一付勢手段と、
可動パーツの第二部分に、この可動パーツを前記回動軸の設けられた位置を略中心とした逆転方向に回動させる付勢力を作用させる第二付勢手段と、
可動パーツに対し、この可動パーツが所定の回動位置を越えるまでは第一付勢手段の付勢力のみを作用させ、この可動パーツが所定の回動位置を越えた後は第二付勢手段の付勢力のみを作用させるようにする切り替え手段とを備えていることを特徴とする回動体の回動制御装置。
【請求項２】
固定体側に取り付けられると共に、回動体の回動軸を挟んだ一方側に位置される第一部分と、この回動軸を挟んだ他方側に位置される第二部分とを備えた固定パーツを備えており、
切り替え手段は、
可動パーツ及び固定パーツの第一部分にそれぞれ設けられた第一カム部と、
可動パーツ及び固定パーツの第二部分にそれぞれ設けられた第二カム部と、
両パーツの第一カム部にそれぞれ案内されて両パーツの第一部分を連係させると共に第一付勢手段の付勢力を蒙る第一摺動軸と、
両パーツの第二カム部にそれぞれ案内されて両パーツの第二部分を連係させると共に第二付勢手段の付勢力を蒙る第二摺動軸とを備えており、
両パーツの第一カム部はそれぞれ、回動体の回動方向に沿った弧状箇所と、弧状箇所から分岐してこの回動方向に交叉する向きに延びる掛合箇所とを備えており、
第一摺動軸は、回動体が所定の回動位置を越えるまでは固定パーツの第一カム部の弧状箇所にあって可動パーツの第一カム部の掛合箇所に掛合されると共に、回動体が所定の回動位置を越えた後は可動パーツの第一カム部の弧状箇所にあって固定パーツの第一カム部の掛合箇所に掛合されるようになっており、
かつ、両パーツの第二カム部はそれぞれ、回動体の回動方向に沿った弧状箇所と、弧状箇所から分岐してこの回動方向に交叉する向きに延びる掛合箇所とを備えており、
第二摺動軸は、回動体が所定の回動位置を越えるまでは可動パーツの第二カム部の弧状箇所にあって固定パーツの第二カム部の掛合箇所に掛合されると共に、回動体が所定の回動位置を越えた後は固定パーツの第二カム部の弧状箇所にあって可動パーツの第二カム部の掛合箇所に掛合されるようになっていることを特徴とする請求項１記載の回動体の回動制御装置。
【請求項３】
第一付勢手段は、バネ一端を第一摺動軸に止め付け、かつバネ他端を固定体側に止め付けた引っ張りコイルバネであり、
第二付勢手段は、バネ一端を第二摺動軸に止め付け、かつバネ他端を固定体側に止め付けた引っ張りコイルバネであることを特徴とする請求項２記載の回動体の回動制御装置。
【請求項４】
請求項１〜請求項３のいずれか１項に記載の回動体を、開口を備えた固定体のこの開口を閉じ位置において上方より塞ぎ、所定の回動位置を越えた開き位置まで回動されるリッドとなるように、固定体に組み合わせてなるリッド装置。
【請求項５】
リッドの自重を相殺する大きさの付勢力をこのリッドに作用させる補助付勢手段を備えていることを特徴とする請求項４に記載のリッド装置。
【発明の詳細な説明】
【技術分野】
【０００１】
この発明は、回動体が所定の回動位置を越えて往動操作された後はこれを往動終了位置まで強制的に往動させてこの往動終了位置に位置づけさせ、また、往動終了位置にある回動体が所定の回動位置を越えて復動操作された後はこれを復動終了位置すなわち往動前位置まで強制的に復動させてこの復動終了位置に位置づけさせる機能を持った回動制御装置およびこれを利用してなるリッド装置に関する。
【背景技術】
【０００２】
コンソールボックスのリッドを付勢ばね圧で常時開放方向に付勢するリッドの開閉装置がある。（特許文献１）また、コンソールボックスを構成する蓋体の開閉回動にこれを支持する水平支持ピンを開閉抵抗付与筒体に圧入嵌合させることで摺動抵抗を生じさせるようにしたものがある。（特許文献２）しかし、前者のものはリッドを閉じるときはこれを閉じきるまで前記付勢ばね圧に抗してリッドを回動操作することを余儀なくさせるものであり、また、後者のものは蓋体の開閉回動に常時開閉抵抗付与筒体による抵抗が作用されるためこれを閉じきるときも開ききるときもこの抵抗を受けながら蓋体を回動操作することを余儀なくさせるものであった。
【特許文献１】特開２００２−３３１８７５号公報
【特許文献２】特開２００１−９７１２８号公報（段落番号００１８）
【発明の開示】
【発明が解決しようとする課題】
【０００３】
この発明が解決しようとする主たる問題点は、固定体に回動可能に組み合わされる回動体さらにはリッド装置を構成するリッドを、機構の複雑化を招くことなく、往動前位置と往動終了位置とにおいてそれぞれ付勢力により安定的に位置づけさせながら、この回動体が所定の回動位置を越えるまで往動回動されたときはこれを往動終了位置まで強制的に回動させ、かつ、この回動体が所定の回動位置を越えるまで復動回動されたときはこれを往動前位置まで強制的に回動させるようにする点にある。
【課題を解決するための手段】
【０００４】
前記課題を達成するために、この発明にあっては、回動体の回動制御装置を、以下の（１）〜（４）の構成を備えたものとした。
（１）固定体に回動軸をもって回動可能に組み合わされた回動体側に取り付けられると共に、この回動軸を挟んだ一方側に位置される第一部分と、この回動軸を挟んだ他方側に位置される第二部分とを備えた可動パーツと、
（２）可動パーツの第一部分に、この可動パーツを前記回動軸の設けられた位置を略中心とした正転方向に回動させる付勢力を作用させる第一付勢手段と、
（３）可動パーツの第二部分に、この可動パーツを前記回動軸の設けられた位置を略中心とした逆転方向に回動させる付勢力を作用させる第二付勢手段と、
（４）可動パーツに対し、この可動パーツが所定の回動位置を越えるまでは第一付勢手段の付勢力のみを作用させ、この可動パーツが所定の回動位置を越えた後は第二付勢手段の付勢力のみを作用させるようにする切り替え手段とを備えている。
【０００５】
往動前位置（すなわち復動終了位置）にある回動体には切り替え手段によって第一付勢手段の付勢力のみが作用され、回動体はこの付勢力により往動前位置に位置づけられる。往動前位置にある回動体の所定の回動位置までの往動回動は第一付勢手段の付勢に抗してなされることとなる。回動体が所定の回動位置を越えて往動操作された後は回動体には切り替え手段によって第二付勢手段の付勢力のみが作用されることから、回動体は往動終了位置まで強制的に往動されてこの付勢力により今度は往動終了位置に位置づけられる。したがって、この往動終了位置（すなわち復動前位置）にある回動体の所定の回動位置までの復動回動は第二付勢手段の付勢に抗してなされることとなる。回動体が所定の回動位置を越えて復動操作された後は回動体には切り替え手段によって第一付勢手段の付勢力のみが作用されることから、回動体は復動終了位置まで強制的に復動されてこの付勢力により再び往動前位置に位置づけられる。
【０００６】
かかる回動制御装置がさらに、固定体側に取り付けられると共に、回動体の回動軸を挟んだ一方側に位置される第一部分と、この回動軸を挟んだ他方側に位置される第二部分とを備えた固定パーツを備えており、また、その切り替え手段を、以下の（１）〜（８）の要素を備えたものとさせておくこともある。
（１）可動パーツ及び固定パーツの第一部分にそれぞれ設けられた第一カム部と、
（２）可動パーツ及び固定パーツの第二部分にそれぞれ設けられた第二カム部と、
（３）両パーツの第一カム部にそれぞれ案内されて両パーツの第一部分を連係させると共に第一付勢手段の付勢力を蒙る第一摺動軸と、
（４）両パーツの第二カム部にそれぞれ案内されて両パーツの第二部分を連係させると共に第二付勢手段の付勢力を蒙る第二摺動軸とを備えており、
（５）両パーツの第一カム部はそれぞれ、回動体の回動方向に沿った弧状箇所と、弧状箇所から分岐してこの回動方向に交叉する向きに延びる掛合箇所とを備えており、
（６）第一摺動軸は、回動体が所定の回動位置を越えるまでは固定パーツの第一カム部の弧状箇所にあって可動パーツの第一カム部の掛合箇所に掛合されると共に、回動体が所定の回動位置を越えた後は可動パーツの第一カム部の弧状箇所にあって固定パーツの第一カム部の掛合箇所に掛合されるようになっており、
（７）かつ、両パーツの第二カム部はそれぞれ、回動体の回動方向に沿った弧状箇所と、弧状箇所から分岐してこの回動方向に交叉する向きに延びる掛合箇所とを備えており、
（８）第二摺動軸は、回動体が所定の回動位置を越えるまでは可動パーツの第二カム部の弧状箇所にあって固定パーツの第二カム部の掛合箇所に掛合されると共に、回動体が所定の回動位置を越えた後は固定パーツの第二カム部の弧状箇所にあって可動パーツの第二カム部の掛合箇所に掛合されるようになっている。
【０００７】
回動体が往動前位置にある状態では、可動パーツの第一カム部の掛合箇所に第一摺動軸が掛合される一方で、第二摺動軸は固定パーツの掛合箇所に掛合されていることから、可動パーツを介して回動体には第一付勢手段の付勢力のみが作用され、これにより回動体は往動前位置に位置づけられる。この状態において、第一摺動軸は固定パーツの第一カム部の弧状箇所にあり、かつ、第二摺動軸は可動パーツの第二カム部の弧状箇所にあることから、第一付勢手段の付勢に抗しながら回動体を所定の回動位置に向けて往動回動させることが許容される。
【０００８】
次ぎに、回動体の往動が所定の回動位置を越えたときは、固定パーツの第一カム部の案内によって、可動パーツの第一カム部の掛合箇所と第一摺動軸との掛合を解き第一摺動軸を可動パーツの第一カム部の弧状箇所に入り込ませると共に、固定パーツの第一カム部の掛合箇所に第一摺動軸を掛合させるようにすることができる。その一方で、可動パーツの第二カム部の案内によって、固定パーツの第二カム部の掛合箇所と第二摺動軸との掛合を解き第二摺動軸を固定パーツの第二カム部の弧状箇所に入り込ませると共に、可動パーツの第二カム部の掛合箇所に第二摺動軸を掛合させるようにすることができる。この状態になると、可動パーツの第二カム部の掛合箇所に第二摺動軸が掛合される一方で、第一摺動軸は固定パーツの掛合箇所に掛合されていることから、可動パーツを介して回動体には第二付勢手段の付勢力のみが作用され、これにより回動体は往動終了位置まで強制的に回動される。
【０００９】
往動終了位置において回動体は第二付勢手段の付勢力によりこの往動終了位置に位置づけられる。この往動終了位置から回動体を所定の回動位置を越える位置まで復動操作すると、再び可動パーツには第一付勢手段の付勢力のみが作用されるようになり、回動体は往動前位置まで強制的に回動される。
【００１０】
前記第一付勢手段を、バネ一端を第一摺動軸に止め付け、かつバネ他端を固定体側に止め付けた引っ張りコイルバネとし、第二付勢手段を、バネ一端を第二摺動軸に止め付け、かつバネ他端を固定体側に止め付けた引っ張りコイルバネとして構成させておくこともある。このようにした場合、同じ向きに付勢力を働かせる引っ張りコイルバネによって、回動体の動作を前記のように制御させることができる。
【００１１】
また、この発明にかかるリッド装置は、以上に説明した回動制御装置を構成する回動体を、開口を備えた固定体のこの開口を閉じ位置において上方より塞ぎ、所定の回動位置を越えた開き位置まで回動されるリッドとなるように、固定体に組み合わせてなるものである。
【００１２】
このように構成されたリッド装置にあっては、例えば、リッドが閉じた状態を第一付勢手段の付勢力により維持し、また、リッドが開ききった状態を第二付勢手段の付勢力により維持させることができる。また、閉じ位置にあるリッドを所定の回動位置を越える位置まで第一付勢手段の付勢に抗して回動させた後は開ききった位置まで強制的に回動させることができ、また、開ききった位置にあるリッドを所定の回動位置を越える位置まで第二付勢手段の付勢に抗して回動させた後はこれを閉じ位置まで強制的に回動させることができる。
【００１３】
かかるリッド装置がさらに、リッドの自重を相殺する大きさの付勢力をこのリッドに作用させる補助付勢手段を備えるようにしておけば、前記第一付勢手段および第二付勢手段によるリッドの動作にリッドの自重が影響を及ぼさないようにすることができる。
【発明の効果】
【００１４】
この発明によれば、固定体に回動可能に組み合わされる回動体さらにはリッド装置におけるリッドを、機構の複雑化を招くことなく、往動前位置と往動終了位置とにおいてそれぞれ付勢力により安定的に位置づけさせながら、この回動体が所定の回動位置を越えるまで往動回動されたときはこれを往動終了位置まで強制的に回動させ、かつ、この回動体が所定の回動位置を越えるまで復動回動されたときはこれを往動前位置まで強制的に回動させることができる。
【発明を実施するための最良の形態】
【００１５】
以下、図１〜図８に基づいて、この発明を実施するための最良の形態について説明する。
【００１６】
なお、ここで図１は、実施の形態にかかる回動制御装置Ｍを利用して構成されたリッド装置Ｒのそのリッド１００’が閉じ位置にある状態を示しており、また、図２はこのリッド１００’が開ききったときの回動制御装置Ｍの組み込み箇所の様子を示している。図３はこの回動制御装置Ｍの要部を断面にして示している。図４〜図７はかかる回動制御装置Ｍの動作を理解しやすいようにこれを側方から見て示しており、図４、図５、図６、図７の順でリッド１００’が往動され、その逆の順序で復動される。図４から図６までの往動に手動での操作が必要とされ、また、図７と図６との間での復動に手動での操作が必要とされるようになっている。図８はかかる回動制御装置Ｍの構成部品を分離させて示している。
【００１７】
この実施の形態にかかる回動制御装置Ｍは、固定体２００に回動軸８をもって回動可能に組み合わされた回動体１００を、この回動体１００が所定の回動位置を越えて往動操作された後はこれを往動終了位置まで強制的に往動させてこの往動終了位置に位置づけさせ、また、往動終了位置にある回動体１００が所定の回動位置を越えて復動操作された後はこれを復動終了位置まで強制的に復動させてこの復動終了位置に位置づけさせるものである。また、この実施の形態にかかるリッド装置Ｒは、かかる回動制御装置Ｍを利用して構成されるものである。
【００１８】
かかる回動制御装置Ｍは、次の（１）〜（４）の要素を含んで構成される。
（１）可動パーツ１
（２）第一付勢手段２
（３）第二付勢手段３
（４）切り替え手段４
【００１９】
可動パーツ１は、回動体１００側に取り付けられると共に、この回動軸８を挟んだ一方側に位置される第一部分１０と、この回動軸８を挟んだ他方側に位置される第二部分１１とを備えている。
【００２０】
図示の例では、かかる可動パーツ１は、略円板状をなすと共に、その中央に回動軸８の通し穴１２を備えている。そして、この通し穴１２を挟んだ一方側を第一部分１０とし、他方側を第二部分１１としている。第一部分１０には貫通溝状をなす後述する第一カム部１０ａが、第二部分１１には貫通溝状をなす後述する第二カム部１１ａが形成されている。図示の例では、二枚の可動パーツ１、１をその縁部間に亘る架設板１３によって間に間隔を開けて平行に配するようにして構成された可動パーツ組１’を、この架設板１３を回動体１００に取り付けることで回動体１００に可動パーツ１を備えさせている。
【００２１】
第一付勢手段２は、かかる可動パーツ１の第一部分１０に、この可動パーツ１を前記回動軸８の設けられた位置を略中心とした正転方向に回動させる付勢力を作用させるものである。
【００２２】
図示の例では、かかる第一付勢手段２は、バネ上端２０ａを可動パーツ１の第一カム部１０ａに通された後述する第一摺動軸６に止め付け、かつバネ下端２０ｂを固定体２００側に止め付けた引っ張りコイルバネ２０として構成されている。
【００２３】
第二付勢手段３は、かかる可動パーツ１の第二部分１１に、この可動パーツ１を前記回動軸８の設けられた位置を略中心とした逆転方向に回動させる付勢力を作用させるものである。
【００２４】
図示の例では、かかる第二付勢手段３は、バネ上端３０ａを可動パーツ１の第二カム部に通された後述する第二摺動軸７に止め付け、かつバネ下端３０ｂを固定体２００側に止め付けた引っ張りコイルバネ３０として構成されている。図示の例では、かかる第二付勢手段３となるかかる引っ張りコイルバネ３０は、第一付勢手段２となる引っ張りコイルバネ２０と略平行をなすように配されている。
【００２５】
切り替え手段４は、可動パーツ１に対し、この可動パーツ１が所定の回動位置を越えるまでは第一付勢手段２の付勢力のみを作用させ、この可動パーツ１が所定の回動位置を越えた後は第二付勢手段３の付勢力のみを作用させるようにするものである。
【００２６】
図示の例では、かかる切り替え手段４は、前記可動パーツ１と後述する固定パーツ５とにそれぞれ設けられた第一カム部１０ａ、５０ａと第二カム部１１ａ、５１ａ、両パーツ１、５の第一カム部１０ａ、５０ａにそれぞれ案内される第一摺動軸６、両パーツ１、５の第二カム部１１ａ、５１ａにそれぞれ案内される第二摺動軸７から構成されている。
【００２７】
往動前位置（すなわち復動終了位置）にある回動体１００には切り替え手段４によって第一付勢手段２の付勢力のみが作用され、回動体１００はこの付勢力により往動前位置に位置づけられる。往動前位置にある回動体１００の所定の回動位置までの往動回動は第一付勢手段２の付勢に抗してなされることとなる。回動体１００が所定の回動位置を越えて往動操作された後は回動体１００には切り替え手段４によって第二付勢手段３の付勢力のみが作用されることから、回動体１００は往動終了位置まで強制的に往動されてこの付勢力により今度は往動終了位置に位置づけられる。したがって、この往動終了位置（すなわち復動前位置）にある回動体１００の所定の回動位置までの復動回動は第二付勢手段３の付勢に抗してなされることとなる。回動体１００が所定の回動位置を越えて復動操作された後は回動体１００には切り替え手段４によって第一付勢手段２の付勢力のみが作用されることから、回動体１００は復動終了位置まで強制的に復動されてこの付勢力により再び往動前位置に位置づけられる。
【００２８】
図示の例は、かかる回動制御装置Ｍを構成する回動体１００を、開口２００ａを備えた固定体２００のこの開口２００ａを閉じ位置において上方より塞ぎ、所定の回動位置を越えた開き位置まで回動されるリッド１００’となるように、固定体２００に組み合わせてリッド装置Ｒを構成させたものである。
【００２９】
このように構成されたリッド装置Ｒにあっては、例えば図示の例のように、リッド１００’が閉じた状態を第一付勢手段２の付勢力により維持し、また、リッド１００’が開ききった状態を第二付勢手段３の付勢力により維持させることができる。また、閉じ位置にあるリッド１００’を所定の回動位置を越える位置まで第一付勢手段２の付勢に抗して回動させた後は開ききった位置まで強制的に回動させることができ、また、開ききった位置にあるリッド１００’を所定の回動位置を越える位置まで第二付勢手段３の付勢に抗して回動させた後はこれを閉じ位置まで強制的に回動させることができる。
【００３０】
また、図示の例では、かかるリッド装置Ｒはさらに、リッド１００’の自重を相殺する大きさの付勢力をこのリッド１００’に作用させる補助付勢手段９０を備えている。これによりこの実施の形態にあっては、前記第一付勢手段２および第二付勢手段３によるリッド１００’の動作にリッド１００’の自重が影響を及ぼさないようになっている。
【００３１】
図示の例では、固定体２００は、上面を開口２００ａとした箱状体として構成されている。固定体２００の開口２００ａは巾と長さを持ち、リッド１００’もこれに相応した巾と長さを持った略長方形の板状をなすように構成されている。リッド１００’はその一端側において固定体２００に回動可能に組み付けられている。回動軸８はリッド１００’の巾方向に軸線を沿わせるように配されている。
【００３２】
回動軸８は、固定体２００に固定された固定パーツ５に形成させた通し穴５２と、可動パーツ１に形成させた通し穴１２とに通されて、リッド１００’を固定体２００に回動可能に支持させている。図示の例では、固定パーツ５は固定体２００の巾側の側板２００ｂの一方の外面への取り付け部５３から後方に突き出す水平方向に長い板状をなすように構成されている。一つの取り付け部５３から固定体２００の巾方向に間隔を開けて二枚の固定パーツ５、５が突き出されており、この取り付け部５３と二枚の固定パーツ５、５によって固定パーツ組５’が構成されている。固定パーツ組５’を構成する二枚の固定パーツ５、５の一方の通し穴５２にはブッシュ９１が嵌め付けられ、他方の固定パーツ５の通し穴５２にはカップリング体９２が回転可能に挿通されている。回動軸８は頭部８０と軸部８１とを有し軸部８１の先端は軸線に直交する向きの断面を非円形とした接合端８２となっている。回動軸８はその軸部８１を先にしてブッシュ９１の備えられた固定パーツ５のこのブッシュ９１に通されてカップリング体９２の内端９２ａに接合端８２をもって接合されるようになっている。
【００３３】
一方、前記可動パーツ組１’は、固定パーツ組５’の間に納められ、可動パーツ組１’内には回動軸８にスリーブ９３が被装されている。このスリーブ９３にはねじりコイルバネ９０ａが巻回されていると共に、このバネ９０ａのバネ一端９０ｂは可動パーツ組１’を構成する可動パーツ１の一方に止着され、バネ他端９０ｃは固定パーツ５の取り付け部５３から後方に突き出す突片の先端に形成されたブラケット部５４に止め付けられて固定体２００側に固定されている。このねじりコイルバネ９０ａは可動パーツ１を介して回動体１００を常時開く向きに付勢しているがその付勢力は回動体１００としてのリッド１００’の自重を相殺する大きさとなっている。すなわち、図示の例では、かかるねじりコイルバネ９０ａが前記補助付勢手段９０として機能するようになっている。カップリング体９２の内端９２ａは可動パーツ組１’を構成する可動パーツ１の他方の非円形の通し穴１２’にはめ込み止め付けられるようになっており、また、カップリング体９２の外端９２ｂはダンパー装置９４を構成するローター９４ａに組み合わされている。かかるダンパー装置９４は固定体２００に固定されるステーター９４ｃとローター９４ａとからなり、ローター９４ａの回転にステーター９４ｃ内に封入されたシリコンオイルなどの粘性流体の抵抗を付与するように構成されている。図示の例ではかかるローター９４ａの外端９４ｂをカップリング体９２の外端９２ｂに接合させており、リッド１００’すなわち可動パーツ１が回動されると回動軸８が回転されカップリング体９２を介してかかるローター９４ａも回転されリッド１００’の回動に制動を与えるようになっている。
【００３４】
図示の例では、このように組み合わされた回動軸８と可動パーツ組１’と固定パーツ組５’とダンパー装置９４とを備えてなる回動制御装置Ｍを、ダンパー装置９４の側を固定体２００の巾方向略中程の位置に置くようにして固定体２００の左右にそれぞれ一組づつ設け、かかる二組の回動制御装置Ｍ、Ｍによってリッド１００’を固定体２００に回動可能に支持させている。したがって、右側の回動制御装置Ｍの回動軸８の軸線を通る仮想の直線は、左側の回動制御装置Ｍの回動軸８の軸線を通るようになっている。
【００３５】
前記固定パーツ５も、回動体１００の回動軸８を挟んだ一方側に位置される第一部分５０と、この回動軸８を挟んだ他方側に位置される第二部分５１とを備えている。
【００３６】
また、前記切り替え手段４は、
可動パーツ１及び固定パーツ５の第一部分１０、５０にそれぞれ設けられた第一カム部１０ａ、５０ａと、
可動パーツ１及び固定パーツ５の第二部分１１、５１にそれぞれ設けられた第二カム部１１ａ、５１ａと、
両パーツ１、５の第一カム部１０ａ、５０ａにそれぞれ案内されて両パーツ１、５の第一部分１０、５０を連係させると共に第一付勢手段２の付勢力を蒙る第一摺動軸６と、
両パーツ１、５の第二カム部１１ａ、５１ａにそれぞれ案内されて両パーツ１、５の第二部分１１、５１を連係させると共に第二付勢手段３の付勢力を蒙る第二摺動軸７とを備えてなる。
【００３７】
図示の例では、可動パーツ１の第一カム部１０ａはこの可動パーツ１を貫通する貫通溝状をなし、かつ、固定パーツ５の第一カム部５０ａはこの固定パーツ５を貫通する貫通溝状をなしている。また、可動パーツ１の第二カム部１１ａはこの可動パーツ１を貫通する貫通溝状をなし、かつ、固定パーツ５の第二カム部５１ａはこの固定パーツ５を貫通する貫通溝状をなしている。そして、第一摺動軸６は、固定パーツ組５’の二枚の固定パーツ５、５の第一カム部５０ａと可動パーツ組１’の二枚の可動パーツ１、１の第一カム部１０ａとにそれぞれ通され、このように通された第一摺動軸６における可動パーツ組１’の内側に位置される箇所に第一付勢手段２を構成する引っ張りコイルバネ２０のバネ上端２０ａが引っ掛けられてこの第一摺動軸６に下方に向けた引っ張り力を作用するようになっている。また、第二摺動軸７は、固定パーツ組５’の二枚の固定パーツ５、５の第二カム部５１ａと可動パーツ組１’の二枚の可動パーツ１、１の第二カム部１１ａとにそれぞれ通され、このように通された第二摺動軸７における可動パーツ組１’の内側に位置される箇所に第二付勢手段３を構成する引っ張りコイルバネ３０のバネ上端３０ａが引っ掛けられてこの第二摺動軸７に下方に向けた引っ張り力を作用するようになっている。
【００３８】
また、両パーツ１、５の第一カム部１０ａ、５０ａはそれぞれ、回動体１００の回動方向に沿った弧状箇所１０ｂ、５０ｂと、弧状箇所１０ｂ、５０ｂから分岐してこの回動方向に交叉する向きに延びる掛合箇所１０ｃ、５０ｃとを備えている。
【００３９】
そして、第一摺動軸６は、回動体１００が所定の回動位置（図６の位置）を越えるまでは固定パーツ５の第一カム部５０ａの弧状箇所５０ｂにあって可動パーツ１の第一カム部１０ａの掛合箇所１０ｃに掛合されると共に、回動体１００が所定の回動位置を越えた後は可動パーツ１の第一カム部１０ａの弧状箇所１０ｂにあって固定パーツ５の第一カム部５０ａの掛合箇所５０ｃに掛合されるようになっている。
【００４０】
図示の例では、可動パーツ１の第一カム部１０ａは、リッド１００’が閉じ位置にある状態において、回動軸８の下方であってこの回動軸８を通る仮想の鉛直線ｘを基準とした前方Ｆ側（リッド１００’の前端側）に位置されるようになっている。その掛合箇所１０ｃは、弧状箇所１０ｂにおける可動パーツ１が図４における時計回りの方向に回動される場合の回動先側の端部に連通して回動軸８から離れる向きに延びている。一方、固定パーツ５の第一カム部５０ａは、回動軸８を通る仮想の鉛直線ｘを基準とした前方Ｆ側に位置され、その掛合箇所５０ｃは、弧状箇所５０ｂの上端部に連通して回動軸８に近づく向きに延びている。そして、リッド１００’が閉じ位置にある状態においては、第一摺動軸６は、可動パーツ１の第一カム部１０ａの掛合箇所１０ｃに第一付勢手段２を構成する引っ張りコイルバネ２０の作用で掛合されると共に、固定パーツ５の第一カム部５０ａの弧状箇所５０ｂの下端に位置されるようになっている。固定パーツ５の第一カム部５０ａの弧状箇所５０ｂと回動軸８との間のピッチは可動パーツ１の第一カム部１０ａの掛合箇所１０ｃと回動軸８との間のピッチと略等しく、また、可動パーツ１の第一カム部１０ａの弧状箇所１０ｂと回動軸８との間のピッチは固定パーツ５の第一カム部５０ａの掛合箇所５０ｃと回動軸８との間のピッチと略等しくなっている。
【００４１】
また、両パーツ１、５の第二カム部１１ａ、５１ａはそれぞれ、回動体１００の回動方向に沿った弧状箇所１１ｂ、５１ｂと、弧状箇所１１ｂ、５１ｂから分岐してこの回動方向に交叉する向きに延びる掛合箇所１１ｃ、５１ｃとを備えている。
【００４２】
そして、第二摺動軸７は、回動体１００が所定の回動位置（図６の位置）を越えるまでは可動パーツ１の第二カム部１１ａの弧状箇所１１ｂにあって固定パーツ５の第二カム部５１ａの掛合箇所５１ｃに掛合されると共に、回動体１００が所定の回動位置を越えた後は固定パーツ５の第二カム部５１ａの弧状箇所５１ｂにあって可動パーツ１の掛合箇所１１ｃに掛合されるようになっている。
【００４３】
図示の例では、可動パーツ１の第二カム部１１ａは、回動軸８を挟んで第一カム部１０ａと反対の側に位置されると共に、この回動軸８を通る仮想の鉛直線ｘを基準とした後方Ｂ側に位置されるようになっている。その掛合箇所１１ｃは、弧状箇所１１ｂにおける可動パーツ１が図４における反時計回りの方向に回動される場合の回動先側の端部に連通して回動軸８から離れる向きに延びている。一方、固定パーツ５の第二カム部５１ａは、回動軸８を通る仮想の鉛直線ｘを基準とした後方Ｂ側に位置され、その掛合箇所５１ｃは、弧状箇所５１ｂの上端部に連通して回動軸８に近づく向きに延びている。そして、リッド１００’が閉じ位置にある状態においては、第二摺動軸７は、固定パーツ５の第二カム部５１ａの掛合箇所５１ｃに第二付勢手段３を構成する引っ張りコイルバネ３０の作用で掛合されると共に、可動パーツ１の第二カム部１１ａの弧状箇所１１ｂの下端に位置されるようになっている。固定パーツ５の第二カム部５１ａの弧状箇所５１ｂと回動軸８との間のピッチは可動パーツ１の第二カム部１１ａの掛合箇所１１ｃと回動軸８との間のピッチと略等しく、また、可動パーツ１の第二カム部１１ａの弧状箇所１１ｂと回動軸８との間のピッチは固定パーツ５の第二カム部５１ａの掛合箇所５１ｃと回動軸８との間のピッチと略等しくなっている。
【００４４】
また、図示の例では、各第一カム部１０ａ、５０ａの弧状箇所１０ｂ、５０ｂの長さおよび各第二カム部１１ａ、５１ａの弧状箇所１１ｂ、５１ｂの長さは略等しくなっており、回動体１００は回動軸８とこれらの弧状箇所１０ｂ、１１ｂ、５０ｂ、５１ｂのいずれかの一端を結ぶ線分と回動軸８とその他端を結ぶ線分とがなす角度分往動および復動されるようになっている。
【００４５】
回動体１００が往動前位置にある状態（リッド１００’が閉じ位置にある状態）では、可動パーツ１の第一カム部１０ａの掛合箇所１０ｃに第一摺動軸６が掛合される一方で、第二摺動軸７は固定パーツ５の第二カム部５１ａの掛合箇所５１ｃに掛合されていることから、可動パーツ１を介して回動体１００には第一付勢手段２の付勢力のみが作用され、これにより回動体１００は往動前位置に位置づけられる。（図４）この状態において、第一摺動軸６は固定パーツ５の第一カム部５０ａの弧状箇所５０ｂにあり、かつ、第二摺動軸７は可動パーツ１の第二カム部１１ａの弧状箇所１１ｂにあることから、第一付勢手段２の付勢に抗しながら回動体１００を所定の回動位置に向けて往動回動させることが許容される。（図５）
【００４６】
次ぎに、回動体１００の往動が所定の回動位置（図６の位置）を越えたときは、固定パーツ５の第一カム部５０ａの案内によって、可動パーツ１の第一カム部１０ａの掛合箇所１０ｃと第一摺動軸６との掛合を解き第一摺動軸６を可動パーツ１の第一カム部１０ａの弧状箇所１０ｂに入り込ませると共に、固定パーツ５の第一カム部５０ａの掛合箇所５０ｃに第一摺動軸６を掛合させるようにすることができる。その一方で、可動パーツ１の第二カム部１１ａの案内によって、固定パーツ５の第二カム部５１ａの掛合箇所５１ｃと第二摺動軸７との掛合を解き第二摺動軸７を固定パーツ５の第二カム部５１ａの弧状箇所５１ｂに入り込ませると共に、可動パーツ１の第二カム部１１ａの掛合箇所１１ｃに第二摺動軸７を掛合させるようにすることができる。この状態になると、可動パーツ１の第二カム部１１ａの掛合箇所１１ｃに第二摺動軸７が掛合される一方で、第一摺動軸６は固定パーツ５の第一カム部５０ａの掛合箇所５０ｃに掛合されていることから、可動パーツ１を介して回動体１００には第二付勢手段３の付勢力のみが作用され、これにより回動体１００は往動終了位置まで強制的に回動される。（図７）図示の例では、回動体１００の往動は第一摺動軸６が可動パーツ１の第一カム部１０ａの弧状箇所１０ｂにおける掛合箇所１０ｃとの連通側と反対の端部に当たり、かつ、第二摺動軸７が固定パーツ５の第二カム部５１ａの弧状箇所５１ｂにおける掛合箇所５１ｃとの連通側と反対の端部に当たった位置で終了し、このように位置づけられる第一摺動軸６と第二摺動軸７によって回動体１００すなわちリッド１００’の過開き荷重を受けてこの過開きが阻止されるようになっている。
【００４７】
往動終了位置において回動体１００は第二付勢手段３の付勢力によりこの往動終了位置に位置づけられる。この往動終了位置から回動体１００を所定の回動位置を越える位置まで復動操作すると、再び可動パーツ１には第一付勢手段２の付勢力のみが作用されるようになり、回動体１００は往動前位置まで強制的に回動される。
【図面の簡単な説明】
【００４８】
【図１】リッド装置Ｒの斜視構成図
【図２】同要部構成図
【図３】同要部断面構成図
【図４】リッド装置Ｒおよび回動制御装置Ｍの動作説明図（側面構成図）
【図５】リッド装置Ｒおよび回動制御装置Ｍの動作説明図（側面構成図）
【図６】リッド装置Ｒおよび回動制御装置Ｍの動作説明図（側面構成図）
【図７】リッド装置Ｒおよび回動制御装置Ｍの動作説明図（側面構成図）
【図８】回動制御装置Ｍの分解斜視構成図
【符号の説明】
【００４９】
Ｍ  回動制御装置
１００  回動体
２００  固定体
１  可動パーツ
１０  第一部分
１１  第二部分
２  第一付勢手段
３  第二付勢手段
４  切り替え手段
８  回動軸
【図１】
2008207601.tif 000003
【図２】
2008207601.tif 000004
【図３】
2008207601.tif 000005
【図４】
2008207601.tif 000006
【図５】
2008207601.tif 000007
【図６】
2008207601.tif 000008
【図７】
2008207601.tif 000009
【図８】
2008207601.tif 000010